(57)【要約】【課  題】健康増進作用を有するトルマリンの効果を一層高めると同時に装飾性を兼備したチューブ状健康リングの提供を課題とする。【解決手段】チューブ状健康リングのチューブ内には、トルマリン鉱石が充填され、さらにチューブ状健康リングは、トルマリンの微粉末が練り込まれたシリコンゴムを成型することによって製造されている。チューブ状健康リングを所望の部位に装着すると、チューブ内のトルマリン鉱石どうしの接触により、また身体の体温によってシリコンゴムに練り込まれたトルマリンの微粉末が熱せられ、これらが相俟って微弱電流を発生させる。微弱電流は、遠赤外線とマイナスイオンを発生させる。微弱電流、遠赤外線、マイナスイオンはそれぞれ身体に作用して、被装着者の健康を増進させる。【選択図】      図１
2004160135.tif 000002
【特許請求の範囲】
【請求項１】
身体に装着可能なリング状に成型されたシリコンゴム製のチューブ内にトルマリンが充填され、かつ当該チューブにトルマリンの微粉末が練り込まれていることを特徴とするチューブ状健康リング。
【発明の詳細な説明】
【０００１】
【発明の属する技術分野】
この発明は、身体に装着することによって被装着者の健康を増進し、かつ装飾機能も兼備するチューブ状健康リングに関するものである。
【０００２】
【従来の技術】
近年における公害増加に伴う環境汚染によって、健康に良いとされているマイナスイオンが減少し、体に害をもたらすプラスイオンが増加している。また、電化製品の普及やＩＴ産業の発達による電磁波の影響や冷房の普及等により、慢性疲労、肩こり、不眠症、冷え性、筋肉痛、神経痛、血行障害、眼の疲労、慢性便秘等の様々な症状で悩んでいる人々が急増している。
【０００３】
このような身体の不具合を改善すべく、健康増進作用を有する天然鉱物のトルマリンが注目されている。
【０００４】
宝石として発見されたトルマリンは、別名「電気石」とも呼ばれており、１８８０年にＪ．Ｃｕｒｉｅ，Ｐ．Ｃｕｒｉｅ兄弟により圧電性を持つことが発見され、外部から電気エネルギーが供給されなくても熱や圧力が加わると、トルマリンの結晶の両端にプラス極とマイナス極が生成される。そして、この結晶のプラス極からマイナス極に向かって生体内で発生しているのと同一の波長１１ミクロン、０．０６ミリアンペアの微弱電流が流れる。この微弱電流と微弱電流に起因して発生する遠赤外線とマイナスイオンとが血流改善等の健康増進作用を身体に及ぼす。
【０００５】
【発明が解決しようとする課題】
このような健康増進作用を有するトルマリンを用いた健康具が商品化されている。しかしながら、トルマリンの効果をより一層高め、身体への装着性が良好で耐久性にも優れた健康具が要望され、更なる改良が望まれている。また、宝石としてのトルマリンの装飾性が生かされていないという問題もある。
【０００６】
【課題を解決するための手段】
この発明者らは、上記課題を解決するために鋭意検討を重ねた結果、シリコンゴム製のチューブ内にトルマリン鉱石を充填し、かつ当該チューブにトルマリンの微粉末を練り込んだときには上記問題点が悉く解消されることを知り、この発明をなすに至った。
【０００７】
すなわち、この発明は、身体に装着可能なリング状に成型されたシリコンゴム製のチューブ内にトルマリンが充填され、かつ当該チューブにトルマリンの微粉末が練り込まれていることを特徴とするチューブ状健康リングに関する。
【０００８】
【発明の実施の形態】
以下に、この発明を詳細に説明する。
この発明において用いられるトルマリンは、３配位のホウ素をもつシクロケイ酸塩鉱物である。
化学組成は、一般式ＸＹ３Ａｌ６（ＢＯ３）３ＳｉＯ１８（ＯＨ）４で表され、ＸはＮａあるいはＣａ、ＹはＡｌ，Ｆｅ３＋，ＬｉないしＭｇを表している。色は化学組成によって変わる。鉄に富んだ電気石（ショーライトｓｈｏｒｌｉｔｅ）は黒色、マグネシウムが入ると褐色。リチウムが入ると種々の色調の赤色（紅電気石）、黄色、緑色、青色（ｉｎｄｉｃｏｌｉｔｅ）、まれには無色（アクロアイトａｃｈｒｏｉｔｅ）などの淡い色調になる。
【０００９】
この発明で用いられるチューブ状リングの材質としては、シリコンゴムが用いられ、トルマリンの微粉末を加硫剤とともに練り込んだシリコンゴムを、押し出し成型など従来公知の方法により成型し得ることができる。シリコンゴムに練り込まれるトルマリン微粉末は、クラッシャーやミルなどの粉砕機で粉砕することにより得られるが、その粒子径としては、１０〜２００μｍの範囲が好ましい。この粒子径が大きくなり過ぎると、シリコンゴムに練り込まれたトルマリン粒子が目視できたり、粒子の形状がリング表面に転写され、外観が著しく損なわれる等の不都合が発生するため好ましくない。
【００１０】
また、トルマリン微粉末の配合量としては、シリコンゴム１００重量部に対して０．０１〜５．０重量部、好ましくは０．１〜２．０％となるように配合すればよい。トルマリン微粉末の配合量が多くなり過ぎると、リングの伸縮性が損なわれたり、またリングの透明性が失われるため好ましくない。
【００１１】
チューブ内に充填するトルマリン鉱石の大きさは、チューブの内径に応じて決められるが、充填するトルマリン鉱石は、チューブ内で自由に動きうる程度の密度で充填することが好ましい。また、充填するトルマリン鉱石は種々の色調を有したものを充填すると装飾性が一層高められることになる。
【００１２】
トルマリン鉱石をチューブ内に充填するには、例えば、チューブの一方の端を加圧により封止し、他端よりチューブ内にチューブの内径より小さめのトルマリン鉱石を充填すればよい。
そして、トルマリン鉱石の充填後は、リング両端を接着するなどの方法によりこの発明のリング状健康具が得られる。
【００１３】
リングの径、長さは特に限定されず、その適応部位の形状等により適宜選択することができるが、通常は内径が１〜１０ｍｍ、長さが５ｃｍ〜２ｍである。
また、チューブの厚みは機械的強度等を勘案して決められるが、通常は１〜５ｍｍである。
【００１４】
なお、この発明のチューブ状健康リングには、色素や香料などを添加してもよい。
【００１５】
このようにして得られるこの発明のリング状健康具を所望の適応部位に装着すると、チューブ内のトルマリン鉱石の移動や、体温およびリングと皮膚との摩擦により微弱電流が発生する。
【００１６】
微弱電流による刺激は、直接的または間接的に、体表面の圧痛点（つぼ・電気抵抗の低いところ）でいわゆる電気信号に転換されて、神経細胞を形成する膜の内と外との電位に変化を与える。この神経刺激が脳に伝達され、自律神経を介して体の機能調整作用を促す。
【００１７】
また、遠赤外線によって所望の体表面の細胞を温め血行をよくし、新陳代謝を促進することができる。
【００１８】
マイナスイオンは、体内の活性酸素を中和することにより、自律神経を安定させたり、脳波のα波の発生を促して筋緊張や精神的ストレスをときほぐし、自然治癒力を高めたりする等の作用があることが知られている。
【００１９】
このようにして、この発明に係るチューブ状健康リングを所望の部位に装着することにより、慢性疲労、肩こり、不眠症、冷え性、筋肉痛、神経痛、血行障害、眼の疲労、慢性便秘等の症状が改善される。また、治療効果だけではなくリング内のトルマリン鉱石が目視でき装飾性も兼備するものである。
【００２０】
この発明でチューブ状健康リングの素材として用いられるシリコンゴムは、伸縮性や透明性に優れており、身体への装着性や装飾性にも好結果が得られる。
【００２１】
この発明に係るチューブ状健康リングは図１に示すようなリング状となっている。チューブ状健康リングの使用方法としては、例えば、図２−１に示すブレスレット状、図２−２に示す足首に装着するアンクレット状（ａｎｋｌｅｔ）状、図２−３に示す襷がけ状、図２−４に示すネックレス状、また図２−５に示す腰部に装着するベルト状のリングとするなど、チューブ状健康リングの径を適宜選択することにより、さまざまな適用部位に応じたものとすることができる。
【００２２】
なお、この発明においてシリコンゴムにトルマリンの微粉末を混練したのは、単にチューブ内にトルマリン鉱石を充填したチューブ状のリングでは、充分なトルマリンの効果が得られず、またシリコンゴムにトルマリンの微粉末を混練し、リング状に成型したものでは、トルマリンの装飾性が失われてしまうことによる。
【００２３】
トルマリンには身体に対する健康増進作用のほか、例えば水の弱アルカリ化や消臭、抗菌作用、電磁波の影響を少なくする等の働きも知られており、この発明のチューブ状健康リングを身体に装着することによって、発汗に起因した汗の臭いや体臭を防ぎ、電磁波からも身体を保護する働きも得られる。
【００２４】
また、トルマリン等の微粒子を繊維などに含浸させた、例えば、サポーター類などの健康具が知られているが、洗濯によりトルマリン等が脱落し、健康具の耐久性が劣るという問題があったが、この発明のチューブ状健康リングはこれを身体に装着したまま入浴もでき、トルマリンの効果に変化をきたすことなく長期間使用することができ、耐久性の面でも優れたものである。
【００２５】
【実施例】
以下に、この発明のチューブ状健康リングを実施例に基づき説明する。
【実施例１】
【００２６】
まず、トルマリンを粉砕機にかけ、平均粒径７５μｍのトルマリン微粉末を得た。次に、シリコンゴム１００重量部、トルマリン微粉末１重量部を３本ロールミルを用いて約２０分間混練し、加硫剤を加えた後、押し出し成型により長さ１５０ｃｍ、内径８ｍｍのチューブに成型した。チューブの一端を押圧封止し、他端より種々の色をした最大径が２ｍｍ〜５ｍｍのトルマリン鉱石を充填し、両端を接着剤により接着し、この発明に係る長尺状のチューブ状健康リングを作製した。
得られたチューブ状健康リングを襷がけしたが、伸縮性があり、装着性が良好であった。また、チューブ内のトルマリンが目視でき装飾性にも優れていた。
【実施例２】
【００２７】
トルマリンを粉砕機にかけ、平均粒径１００μｍのトルマリン微粉末を得た。次に、シリコンゴム１００重量部、トルマリン微粉末０．５重量部を３本ロールミルを用いて約２０分間混練し、加硫剤を加えた後、押し出し成型により長さ２０ｃｍ、内径６ｍｍのチューブ状に成型した。チューブの一端を押圧封止し、他端より種々の色をした最大径が３ｍｍ〜５ｍｍのトルマリン鉱石を充填し、両端を接着剤により接着し、この発明に係るチューブ状健康リングを作製した。
得られたチューブ状健康リングをブレスレットとして用いたが、伸縮性があり、装着性が良好であった。また、チューブ内のトルマリンが目視でき装飾性にも優れていた。
【００２８】
使用試験１
実施例１で得られたこの発明に係るチューブ状健康リングを、年齢が４０歳〜７０歳の「肩がこる」、「冷え性である」、「慢性疲労がある」という自覚症状のある男女を被験者として、効果を確認した。
効果の確認は、被験者に襷がけ状に裸身に装着してもらい、３週間使用した後、その効果について被験者から報告を受けるという内容で実施した。
評価は以下の区分に分け、４点以上を改善されたと判断し、改善が認められた人数／被験者数×１００（％）を改善率とした。
大変悪くなった‥‥１点。悪くなった‥‥２点。変化がなかった‥‥３点。
やや良くなった‥‥４点。大変良くなった‥‥５点。
【００２９】表１に、その報告結果をまとめた。
【００３０】
【表１】
2004160135.tif 000003
【００３１】
表１から明らかなように、３週間使用した後の各症状の改善率は優れたものであった。なお、自覚症状において改善が認められなかった人の評価は、それぞれいずれも変化がなかった人達であり、評価点が１点および２点の人は一人もいなかった。
【００３２】
【発明の効果】
この発明に係るチューブ状健康リングは、チューブ内にトルマリン鉱石が充填されており、またシリコンゴムからなるチューブにトルマリンが練り込まれているため、これを適用部位に装着した場合、チューブ内のトルマリン鉱石の移動や、体温およびリングと皮膚との摩擦により効率よく微弱電流が発生する。このため、トルマリンの効果が一層大きなものとなる。さらに、チューブ内のトルマリン鉱石が目視できるため健康具の装飾機能も向上させることができる。
また、伸縮性良好なシリコンゴムを用いているため、身体への装着性や耐久性にも優れている。
【図面の簡単な説明】
【図１】この発明に係るチューブ状健康リングを示す斜視図である。
【図２】この発明に係るチューブ状健康リングの使用状態の説明図である。
【符号の説明】
１‥‥ブレスレット状のチューブ状健康リング
２‥‥アンクレット状のチューブ状健康リング
３‥‥襷がけ状のチューブ状健康リング
４‥‥ネックレス状のチューブ状健康リング
５‥‥ベルト状のチューブ状健康リング
【図１】
2004160135.tif 000004
【図２−１】
2004160135.tif 000005
【図２−２】
2004160135.tif 000006
【図２−３】
2004160135.tif 000007
【図２−４】
2004160135.tif 000008
【図２−５】
2004160135.tif 000009